(57)【特許請求の範囲】
【請求項１】
２枚のパネル間に複数の放電セルからなる放電空間が形成されてなるプラズマディスプレイパネルと、前記プラズマディスプレイパネルを発光駆動する駆動回路とを備え、輝度重み付けされたｎ個のサブフィールドで１フィールドが構成され、前記放電セル毎に所望の輝度重みを有するサブフィールドを選択的に点灯駆動させて階調表示するプラズマディスプレイパネル表示装置であって、
各々のサブフィールドには、書き込み期間および維持放電期間が配分されており、ｍ番目のサブフィールドにおける印加維持パルス数がｎ番目のサブフィールドにおける印加維持パルス数と異なるとともに、前記ｍ番目のサブフィールドにおける維持放電期間終了から（ｍ＋１）番目のサブフィールドにおける書き込み期間の書き込みパルス印加開始までの第１の時間が、前記ｎ番目のサブフィールドと（ｎ＋１）番目のサブフィールドとの間において対応する第２の時間と異なる長さの関係を満足するｍおよびｎが少なくとも１組存在し、
先のサブフィールドにおける印加維持パルス数が所要値未満であるときの先のサブフィールドにおける維持放電期間終了からそれに続くサブフィールドにおける書き込み期間の書き込みパルス印加開始までの時間を基準時間とするとき、前記ｍ番目のサブフィールドにおける印加維持パルス数が前記所要値以上である場合に、前記第１の時間は、前記ｍ番目のサブフィールドにおける印加維持パルス数に基づいて設定された延長時間を前記基準時間に加算することにより設定される
ことを特徴とするプラズマディスプレイパネル表示装置。
【請求項２】
前記延長時間は、前記ｍ番目のサブフィールドにおける印加維持パルス数が２５発以上５０発未満の場合に、２０μｓｅｃ．以上３００μｓｅｃ．以下の範囲内で設定され、前記ｍ番目のサブフィールドにおける印加維持パルス数が５０発以上８０発未満の場合に、４０μｓｅｃ．以上３２０μｓｅｃ．以下の範囲内で設定され、前記ｍ番目のサブフィールドにおける印加維持パルス数が８０発以上の場合に、６０μｓｅｃ．以上３４０μｓｅｃ．以下の範囲内で設定されている
ことを特徴とする請求項１に記載のプラズマディスプレイパネル表示装置。
【請求項３】
発光駆動中における維持放電期間終了から書き込み期間の書き込みパルス印加開始までの時間は、全てが１０μｓｅｃ．以上８２０μｓｅｃ．以下の範囲内で設定されている
ことを特徴とする請求項２に記載のプラズマディスプレイパネル表示装置。
【請求項４】
前記駆動回路は、前記印加維持パルス数と延長時間との関係を対応付けるテーブルを格納するテーブル格納部と、前記テーブルを参照しながら前記ｍ番目のサブフィールドにおける印加維持パルス数から前記延長時間を設定する延長時間設定部とを有している
ことを特徴とする請求項１に記載のプラズマディスプレイパネル表示装置。
【請求項５】
前記ｍ番目のサブフィールドにおける維持放電期間の後には、前記放電セル内の壁電荷の消去を行う消去期間が設けられており、前記延長時間は、前記ｍ番目のサブフィールドにおける消去期間中に組み入れられている
ことを特徴とする請求項１に記載のプラズマディスプレイパネル表示装置。
【請求項６】
前記発光駆動中における全てのサブフィールドの前記消去期間は、その長さが１６０μｓｅｃ．以上４６０μｓｅｃ．以下の範囲内で設定されている
ことを特徴とする請求項５に記載のプラズマディスプレイパネル表示装置。
【請求項７】
各サブフィールドにおける書き込み期間の前には、前記放電セル内の電荷状態の初期化を行う初期化期間が設けられており、前記延長時間は、前記ｍ番目のサブフィールドにおける初期化期間中に組み入れられている
ことを特徴とする請求項１に記載のプラズマディスプレイパネル表示装置。
【請求項８】
前記発光駆動中における全てのサブフィールドの前記初期化期間は、その長さが３６０μｓｅｃ．以上６６０μｓｅｃ．以下の範囲内で設定されている
ことを特徴とする請求項７に記載のプラズマディスプレイパネル表示装置。
【請求項９】
全てのサブフィールド間における維持放電期間終了から書き込み期間の書き込みパルス印加開始までの時間は、１０μｓｅｃ．以上８２０μｓｅｃ．以下の範囲内で設定されている
ことを特徴とする請求項１に記載のプラズマディスプレイパネル表示装置。
【請求項１０】
先のフィールドにおける印加維持パルス数の合計が所要値以上である場合、これに続くフィールドにおける各サブフィールド間では、維持放電期間終了から書き込み期間の書き込みパルス印加開始までの時間に第２の延長時間が加算されている
ことを特徴とする請求項１に記載のプラズマディスプレイパネル表示装置。
【請求項１１】
２枚のパネル間に放電空間が形成されてなるプラズマディスプレイパネルに対して、輝度重み付けされたｎ個のサブフィールドから、前記放電セル毎に所望の輝度重みを有するサブフィールドを選択的に点灯駆動させて階調表示するプラズマディスプレイパネル表示装置の駆動方法であって、各々のサブフィールドには、書き込み期間および維持放電期間が配分されており、ｍ番目のサブフィールドにおける印加維持パルス数がｎ番目のサブフィールドにおける印加維持パルス数と異なるとともに、前記ｍ番目のサブフィールドにおける維持放電期間終了から（ｍ＋１）番目のサブフィールドにおける書き込み期間の書き込みパルス印加開始までの第１の時間が、前記ｎ番目のサブフィールドと（ｎ＋１）番目のサブフィールドとの間において対応する第２の時間と異なる長さの関係を満足するｍおよびｎが少なくとも１組存在し、
先のサブフィールドにおける印加維持パルス数が所要値未満であるときの先のサブフィールドにおける維持放電期間終了からそれに続くサブフィールドにおける書き込み期間の書き込みパルス印加開始までの時間を基準時間とするとき、前記ｍ番目のサブフィールドにおける印加維持パルス数が前記所要値以上である場合に、前記第１の時間は、前記ｍ番目のサブフィールドにおける印加維持パルス数に基づいて設定された延長時間を前記基準時間に加算することにより設定される
ことを特徴とするプラズマディスプレイパネル表示装置の駆動方法。
【請求項１２】
前記延長時間は、前記ｍ番目のサブフィールドにおける印加維持パルス数が２５発以上５０発未満の場合に、２０μｓｅｃ．以上３００μｓｅｃ．以下の範囲内で設定され、前記ｍ番目のサブフィールドにおける印加維持パルス数が５０発以上８０発未満の場合に、４０μｓｅｃ．以上３２０μｓｅｃ．以下の範囲内で設定され、前記ｍ番目のサブフィールドにおける印加維持パルス数が８０発以上の場合に、６０μｓｅｃ．以上３４０μｓｅｃ．以下の範囲内で設定されている
ことを特徴とする請求項１１に記載のプラズマディスプレイパネル表示装置の駆動方法。
【請求項１３】
発光駆動中における維持放電期間終了から書き込み期間の書き込みパルス印加開始までの時間は、全てが１０μｓｅｃ．以上８２０μｓｅｃ．以下の範囲内で設定されている
ことを特徴とする請求項１２に記載のプラズマディスプレイパネル表示装置の駆動方法。
【請求項１４】
前記延長時間は、予め格納されている前記維持パルス数と延長時間との対応テーブルを参照しながら前記維持パルス数から設定される
ことを特徴とする請求項１１に記載のプラズマディスプレイパネル表示装置の駆動方法。
【請求項１５】
前記ｍ番目のサブフィールドにおける維持放電期間の後には、前記放電セル内の壁電荷の消去を行う消去期間が設けられており、前記延長時間は、前記ｍ番目のサブフィールドにおける消去期間中に組み入れられている
ことを特徴とする請求項１１に記載のプラズマディスプレイパネル表示装置の駆動方法。
【請求項１６】
各サブフィールドにおける書き込み期間の前には、前記放電セル内の電荷状態の初期化を行う初期化期間が設けられており、前記延長時間が加算されているのは、前記初期化期間である
ことを特徴とする請求項１１に記載のプラズマディスプレイパネル表示装置の駆動方法。
【請求項１７】
先のフィールドにおける印加維持パルス数の合計が所要値以上である場合、これに続くフィールドにおける各サブフィールド間では、維持放電期間終了から書き込み期間の書き込みパルス印加開始までの時間に第２の延長時間が加算されている
ことを特徴とする請求項１１に記載のプラズマディスプレイパネル表示装置の駆動方法。
【発明の詳細な説明】
【０００１】
【発明の属する技術分野】
本発明は、表示デバイスなどとして用いられるプラズマディスプレイパネル表示装置およびその駆動方法に関する。
【０００２】
【従来の技術】
近年、ハイビジョンをはじめとする高品位で大画面のディスプレイ装置に対する期待が高まっている中、陰極線管、液晶ディスプレイ、プラズマディスプレイパネル（以下、「ＰＤＰ」という）といったディスプレイの開発が進められている。
【０００３】
この中で、ＰＤＰは、薄型大画面化を図る上で最も適しており、すでに６０インチクラスの製品も開発されている。その中でも、薄型大画面化に最も適するという理由から、現在では、交流面放電型（ＡＣ型）ＰＤＰが主流となっている。
ＡＣ型ＰＤＰは、前面パネルと背面パネルとが隔壁を介して対向配置され、パネル間に形成された放電空間に希ガスを主とする放電ガスが封入された構造を有する。
【０００４】
前面パネルは、前面基板の主表面に走査電極と維持電極とがストライプ状に配され、その上に鉛系ガラスなどからなる誘電体層、およびＭｇＯからなる保護層が順に積層された構成を有している。
一方、背面パネルは、背面基板の主表面にデータ電極がストライプ状に配され、その上に鉛系ガラスなどからなる誘電体層が形成されている。さらに、誘電体層の上には、複数条の隔壁がデータ電極と並行するように突設されており、隔壁および誘電体層によって形成される溝の壁部分に、蛍光体層が形成されている。蛍光体層は、赤（Ｒ）、緑（Ｇ）、青（Ｂ）の各蛍光体が各溝毎に形成されている。
【０００５】
ＡＣ型ＰＤＰでは、上記前面パネルにおける走査電極および維持電極と、上記背面パネルにおけるデータ電極とが立体交差する各放電空間が、放電セルとなる。
ＰＤＰ表示装置は、上記構造のＡＣ型ＰＤＰと、これを駆動するための駆動回路とが組み合わされることにより構成されている。
【０００６】
上記ＰＤＰ表示装置において、各放電セルでは、点灯若しくは消灯の２階調しか表現できない。そこで、ＡＣ型ＰＤＰにおいては、画像を表示するために、一般的にフィールド内時分割階調表示方式が採用されている。フィールド内時分割階調表示方式とは、表示時間単位である１フィールド（１６．６ｍｓｅｃ．）を複数のサブフィールドに分割し、点灯時間を時分割することによって、中間階調も表現する方法である。
【０００７】
さらに、各サブフィールドは、初期化期間、書き込み期間、維持放電期間、消去期間という一連の期間から構成されている。画像は、これらの一連の期間から構成されるサブフィールドを逐次実行することによって表示される。
【０００８】
【発明が解決しようとする課題】
しかしながら、上記構造および駆動方法を採るＰＤＰ表示装置では、書き込み期間において、データ電極上の蛍光体層表面あるいは走査電極上の保護層表面に蓄積されていた壁電荷が放電空間に放出されてしまう、所謂、チャージ抜けが発生することがある。書き込み期間におけるチャージ抜けは、書き込み不良へとつながり、画像品質の低下を招く原因となる。
【０００９】
このような書き込み不良は、書き込み期間における書き込みパルス電圧を高くすることによりある程度発生が抑制されるものの、そのために高価な高耐圧用出力ドライバＩＣの使用が必要となったり、ＰＤＰ表示装置全体における消費電力を上昇させてしまったりするといった問題を生じてしまう。
本発明は、このような問題を解決するためになされたものであって、コストおよび消費電力が低いとともに、書き込み期間における書き込み不良が発生し難く、高い画像品質のＰＤＰ表示装置およびその駆動方法を提供することを目的とする。
【００１０】
【課題を解決するための手段】
このような課題を解決するために、本発明のＰＤＰ表示装置は、２枚のパネル間に複数の放電セルからなる放電空間が形成されてなるＰＤＰと、このＰＤＰを発光駆動する駆動回路とを備え、輝度重み付けされたｎ個のサブフィールドで１フィールドが構成され、放電セル毎に所望の輝度重みを有するサブフィールドを選択的に点灯駆動させて階調表示するＰＤＰ表示装置であって、各々のサブフィールドには、書き込み期間および維持放電期間が配分されており、ｍ番目のサブフィールドにおける印加維持パルス数がｎ番目のサブフィールドにおける印加維持パルス数と異なるとともに、前記ｍ番目のサブフィールドにおける維持放電期間終了から（ｍ＋１）番目のサブフィールドにおける書き込み期間の書き込みパルス印加開始までの第１の時間が、前記ｎ番目のサブフィールドと（ｎ＋１）番目のサブフィールドとの間において対応する第２の時間と異なる長さの関係を満足するｍおよびｎが少なくとも１組存在し、先のサブフィールドにおける印加維持パルス数が所要値未満であるときの先のサブフィールドにおける維持放電期間終了からそれに続くサブフィールドにおける書き込み期間の書き込みパルス印加開始までの時間を基準時間とするとき、ｍ番目のサブフィールドにおける印加維持パルス数が所要値以上である場合に、第１の時間を、ｍ番目のサブフィールドにおける印加維持パルス数に基づいて設定された延長時間を上記基準時間に加算することにより設定することを特徴とする。
【００１１】
このＰＤＰ表示装置では、ｍ番目の各サブフィールドの維持放電期間における印加維持パルス数に応じて、ｍ番目のサブフィールドにおける維持放電期間終了から（ｍ＋１）番目のサブフィールドの書き込みパルス印加開始までの第１の時間が、ｎ番目のサブフィールドと（ｎ＋１）番目のサブフィールドとの間における対応する第２の時間と異なる長さの関係を有するようなｍおよびｎが存在するので、不純物準位の存在によるチャージ抜けの発生を効果的に抑制するのに適した時間を設定することができる。
【００１２】
即ち、上記ＰＤＰ表示装置では、全てのサブフィールド間において維持放電期間終了から書き込み期間の書き込みパルス印加開始までの時間を一律に長くするのではなく、印加維持パルス数に応じて適切に設定することにより、１フィールドにおける維持放電期間終了から書き込みパルス印加開始までの合計時間を抑制しながら効率よくチャージ抜けの発生を抑制することができる。
【００１３】
従って、このＰＤＰ表示装置では、消費電力が低いとともに、書き込み期間における書き込み不良が発生し難く、高い画像品質が確保される。
【００１４】
なお、基準時間を設定するための印加維持パルス数の所要値は、１フィールド中における最も少ない印加維持パルス数とすることができる。
上記ＰＤＰ表示装置では、延長時間を、ｍ番目のサブフィールドにおける維持パルス数が２５発以上５０発未満の場合、２０（μｓｅｃ．）以上３００（μｓｅｃ．）以下の範囲内で設定し、ｍ番目のサブフィールドにおける維持パルス数が５０発以上８０発未満の場合、４０（μｓｅｃ．）以上３２０（μｓｅｃ．）以下の範囲内で設定し、ｍ番目のサブフィールドにおける維持パルス数が８０発以上の場合、６０（μｓｅｃ．）以上３４０（μｓｅｃ．）以下の範囲内で設定しておくことが望ましい。
【００１５】
上記ＰＤＰ表示装置では、発光駆動中における維持放電期間終了から書き込み期間の書き込みパルス印加開始までの時間の全てが１０（μｓｅｃ．）以上８２０（μｓｅｃ．）以下の範囲内で設定されていることが望ましい。
また、上記延長時間の設定は、駆動回路中に、維持パルス数と延長時間との関係を対応付けるテーブルが予め格納されたテーブル格納部と、このテーブルを参照しながら維持パルス数から延長時間を設定する延長時間設定部とを備えておけば、容易に実施することができる。
【００１６】
ここで、通常、各サブフィールドにおける維持放電期間の後には、放電セル内の壁電荷の消去を行う消去期間が設定されているが、上記ＰＤＰ表示装置では、上記延長時間を、ｍ番目のサブフィールドにおける消去期間中に組み入れておくことが望ましい。
このＰＤＰ表示装置においては、発光駆動中における全てのサブフィールドにおける消去期間の長さが１６０（μｓｅｃ．）以上４６０（μｓｅｃ．）以下の範囲内で設定されていることが望ましい。
【００１７】
また、消去期間の長さは、先のフィールドにおける印加維持パルス数の合計に基づいて、フィールド毎にも設定されていることがより望ましい。
また、各サブフィールドにおける書き込み期間の前には、放電セル内の電荷状態の初期化を行う初期化期間が設けられているものもあるが、その場合には、上記延長時間を、ｍ番目のサブフィールドにおける初期化期間中に組み入れておくことが望ましい。
【００１８】
このＰＤＰ表示装置においては、発光駆動中における全ての初期化期間の長さが３６０（μｓｅｃ．）以上６６０（μｓｅｃ．）以下の範囲内で設定されていることが望ましい。
さらに、上記ＰＤＰ表示装置では、先のフィールドにおける印加維持パルス数の合計が所要値以上である場合、これに続くフィールドにおける各サブフィールド間で、維持放電期間終了から書き込み期間の書き込みパルス印加開始までの時間に第２の延長時間を加算しておくことが望ましい。これは、フィールド毎によって１フィールドあたりの壁電荷の蓄積量が異なることに注目したものであって、先のフィールドにおける印加維持パルス数が多い場合には第２の延長時間を加算することにより、不純物準位の存在によるチャージ抜けの発生をより効果的に抑制できるためである。
【００１９】
また、本発明のＰＤＰ表示装置の駆動方法は、２枚のパネル間に放電空間が形成されてなるプラズマディスプレイパネルに対して、輝度重み付けされたｎ個のサブフィールドから、放電セル毎に所望の輝度重みを有するサブフィールドを選択的に点灯駆動させて階調表示するプラズマディスプレイパネル表示装置の駆動方法であって、各々のサブフィールドに書き込み期間および維持放電期間が配分されており、ｍ番目のサブフィールドにおける印加維持パルス数がｎ番目のサブフィールドにおける印加維持パルス数と異なるとともに、ｍ番目のサブフィールドにおける維持放電期間終了から（ｍ＋１）番目のサブフィールドにおける書き込み期間の書き込みパルス印加開始までの第１の時間が、ｎ番目のサブフィールドと（ｎ＋１）番目のサブフィールドとの間において対応する第２の時間と異なる長さの関係を満足するｍおよびｎが少なくとも１組存在し、先のサブフィールドにおける印加維持パルス数が所要値未満であるときの先のサブフィールドにおける維持放電期間終了からそれに続くサブフィールドにおける書き込み期間の書き込みパルス印加開始までの時間を基準時間とするとき、ｍ番目のサブフィールドにおける印加維持パルス数が所要値以上である場合に、第１の時間を、ｍ番目のサブフィールドにおける印加維持パルス数に基づいて設定された延長時間を上記基準時間に加算することにより設定することを特徴とする。
【００２０】
このＰＤＰ表示装置の駆動方法では、ｍ番目の各サブフィールドの維持放電期間における印加維持パルス数に応じて、ｍ番目のサブフィールドにおける維持放電期間終了から（ｍ＋１）番目のサブフィールドの書き込みパルス印加開始までの第１の時間が、ｎ番目のサブフィールドと（ｎ＋１）番目のサブフィールドとの間における対応する第２の時間と異なる長さの関係を有するようなｍおよびｎが存在するので、不純物準位の存在によるチャージ抜けの発生を効果的に抑制するのに適した時間を設定することができる。
【００２１】
即ち、上記駆動方法では、全てのサブフィールド間において維持放電期間終了から書き込み期間の書き込みパルス印加開始までの時間を一律に長くしているのではなく、印加維持パルス数に応じて適切に設定することにより、１フィールドにおける維持放電期間終了から書き込みパルス印加開始までの合計時間を抑制しながら効率よくチャージ抜けの発生を抑制することができる。
【００２２】
従って、このＰＤＰ表示装置の駆動方法では、消費電力が低いとともに、書き込み期間における書き込み不良が発生し難く、高い画像品質が確保される。
【００２３】
なお、基準時間を設定するための印加維持パルス数の所要値は、１フィールド中における最も少ない印加維持パルス数とすることができる。
上記駆動方法では、延長時間を、ｍ番目のサブフィールドにおける維持パルス数が２５発以上５０発未満の場合に、２０（μｓｅｃ．）以上３００（μｓｅｃ．）以下の範囲内で設定し、ｍ番目のサブフィールドにおける維持パルス数が５０発以上８０発未満の場合に、４０（μｓｅｃ．）以上３２０（μｓｅｃ．）以下の範囲内で設定し、ｍ番目のサブフィールドにおける維持パルス数が８０発以上の場合に、６０（μｓｅｃ．）以上３４０（μｓｅｃ．）以下の範囲内で設定しておくことが望ましい。
【００２４】
上記駆動方法では、発光駆動中における維持放電期間終了から書き込み期間の書き込みパルス印加開始までの時間の全てが１０μｓｅｃ．以上８２０μｓｅｃ．以下の範囲内で設定されていることが望ましい。
上記駆動方法では、予め格納されている維持パルス数と延長時間との関係を対応付けるテーブルを参照しながら維持パルス数から、延長時間を設定することが望ましい。
【００２５】
また、上記駆動方法では、先のフィールドにおける印加維持パルス数の合計が所要値以上である場合、これに続くフィールドにおける各サブフィールド間で、維持放電期間終了から書き込み期間の書き込みパルス印加開始までの時間に第2の延長時間を加算しておくことが望ましい。
各サブフィールドにおける維持放電期間の後には、放電セル内の壁電荷の消去を行う消去期間が設けられているものもあるが、その場合には、この消去期間中に延長時間を加算しておくことが望ましい。
【００２６】
また、上記駆動方法では、延長時間を、ｍ番目のサブフィールドにおける消去期間中に組み入れておくことが望ましい。
さらに、上記駆動方法では、延長時間を、ｍ番目のサブフィールドにおける初期化期間中に組み入れておくことも望ましい。
【００２７】
【発明の実施の形態】
本願発明は、下記実施の形態および添付の図面を用いて説明されるものであるが、これは、例示を目的とするものであり、本願発明が以下の実施の形態に限定を受けるものではない。
１．パネルの全体構成
本実施の形態に係るＡＣ型ＰＤＰ（以下、単に「ＰＤＰ」という）１について、図１を用いて説明する。図１は、ＰＤＰ１の斜視図（一部断面図）であって、パネルにおける表示領域の一部分を抜き出して示している。
【００２８】
図１に示すように、ＰＤＰ１は、前面パネル１０と背面パネル２０とが間隙をおいて対峙し配置された構造を有している。そして、前面パネル１０と背面パネル２０との間の間隙は、背面パネル２０の主面上に突設された複数条の隔壁２４によって複数の放電空間３０に仕切られている。
前面パネル１０は、前面ガラス基板１１の一方の主表面上にＡｇを主成分とする複数の走査電極１２ａおよび複数の維持電極１２ｂが交互に配設され、電極１２ａ、１２ｂが配設された前面ガラス基板１１の面上に鉛系の低融点ガラスからなる誘電体ガラス層１３が形成されている。さらに、誘電体ガラス層１３の面上には、ＭｇＯからなる誘電体保護膜１４が形成されている。
【００２９】
一方、背面パネル２０は、背面ガラス基板２１の上記前面パネル１０に向き合う側の面上に複数のデータ電極２２がストライプ状に配設され、データ電極２２が配設された背面ガラス基板２１の面上がＴｉＯ2を含む誘電体ガラス層２３によって覆われている。さらに、この誘電体ガラス層２３の面上には、上記データ電極２２と並行する方向であって、データ電極２２とデータ電極２２との間に位置するように隔壁２４が突設されている。この誘電体ガラス層２３と隔壁２４とによって形成される溝部分の内壁面には、赤（Ｒ）、緑（Ｇ）、青（Ｂ）の各色の蛍光体層２５が溝毎に分けて形成されている。
【００３０】
前面パネル１０と背面パネル２０とは、各々に形成されている走査電極１２ａおよび維持電極１２ｂとデータ電極２２とが立体交差するように配置され、外周部が気密シール層（フリットガラス）で封着されている（不図示）。
放電空間３０は、上記前面パネル１０の誘電体保護膜１４と蛍光体層２５あるいは隔壁２４によって囲まれた空間である。この放電空間３０には、ガス基体としてのＮｅ−Ｘｅ系あるいはＨｅ−Ｘｅ系のガスを主とする放電ガスが封入されている。
【００３１】
ＰＤＰ１では、放電空間３０において、前面パネル１０における走査電極１２ａおよび維持電極１２ｂと、背面パネル２０におけるデータ電極２２とが対向する各々の部分が放電セルに相当することになる。
２．ＰＤＰ１の製造方法
２−１．前面パネルの作製
前面パネル１０の作製では、まず前面ガラス基板１１上に、銀電極用のペーストをスクリーン印刷で塗布した後、焼成することにより走査電極１２ａおよび維持電極１２ｂを形成する。
【００３２】
次に、前面ガラス基板１１における電極１２ａ、１２ｂが形成された面を覆うように、鉛系の低融点ガラス材料を含むペーストをスクリーン印刷法で塗布し焼成（５５０℃以上５９０℃以下程度）することによって、誘電体ガラス層１３を形成する。例えば、誘電体ガラス層１３の組成は、酸化鉛（ＰｂＯ）７０（重量％）、酸化硼素（Ｂ2Ｏ3）１５（重量％）、酸化珪素（ＳｉＯ2）１５（重量％）である。
【００３３】
なお、誘電体ガラス層１３の形成には、上記方法の他に、ビスマス系低融点ガラスを用いても良いし、鉛系低融点ガラスとビスマス系低融点ガラスとを積層させても良い。
さらに、誘電体ガラス層１３が形成された前面ガラス基板１１には、真空蒸着法を用いてＭｇＯからなる誘電体保護膜１４が形成される。
【００３４】
なお、誘電体保護膜１４の形成には、真空蒸着法以外の方法、例えば、スパッタリング法、塗布法などを用いても良い。
２−２．背面パネル２０の作製
背面パネル２０の作製にあたっては、先ず、背面ガラス基板２１上に銀電極用のペーストをスクリーン印刷し、焼成することによりデータ電極２２を形成する。
【００３５】
次に、背面ガラス基板２１におけるデータ電極２２が形成された面を覆うように、酸化チタン（ＴｉＯ2）粒子を含むガラス材料のペーストをスクリーン印刷法で塗布し焼成（５５０℃以上５９０℃以下程度）することによって、（白色）誘電体ガラス層２３を形成する。
誘電体ガラス層２３の上に隔壁用のガラスペーストをスクリーン印刷法で塗布し、焼成することにより隔壁２４が形成される。
【００３６】
次に、隔壁２４と誘電体ガラス層２３とにより形成される溝部分の壁部分に、赤（Ｒ）、緑（Ｇ）、青（Ｂ）の各色蛍光体ペーストを、スクリーン印刷法を用いて塗布し、空気中で焼成（例えば、５００℃で１０分間）することにより蛍光体層２５を形成する。蛍光体層２５を形成する蛍光体材料としては、ここでは、
赤色蛍光体：（ＹXＧｄ1-X）ＢＯ3：Ｅｕ3+あるいは、ＹＢＯ3：Ｅｕ3+
緑色蛍光体：ＢａＡｌ12Ｏ19：Ｍｎあるいは、Ｚｎ2ＳｉＯ4：Ｍｎ
青色蛍光体；ＢａＭｇＡｌ10Ｏ17：Ｅｕ2+
を用いることにする。
【００３７】
以上のようにして、背面パネル２０が作製される。
なお、蛍光体層２５の形成においては、各色の蛍光体材料を含有する感光性樹脂シートを作製しておき、これを背面ガラス基板２１の隔壁２４を突設した側の面に貼り付け、フォトリソグラフィー法でパターニングし現像することで不要な部分を取り除くという方法、インクジェット法、ラインジェット法などを用いることもできる。
【００３８】
２−３．前面パネル１０と背面パネル２０との封着
次に、このようにして作製された前面パネル１０と背面パネル２０とを封着ガラスを用いて張り合わせる。
張り合わせ後に前面パネル１０と背面パネル２０との間に形成される放電空間３０内を、高真空（例えば、１×１０-4Ｐａ程度）に排気し、放電ガスを所定の圧力で封入する。
【００３９】
放電空間３０に封入する放電ガスは、ここではＮｅとＸｅとの混合ガス（混合比９５体積％：５体積％）である。そして、封入圧力は、７×１０4（Ｐａ）程度である。
３．ＰＤＰ表示装置の構成
次に、上記ＰＤＰ１を備えるＰＤＰ表示装置の全体構成について、図２を用いて説明する。
【００４０】
図２に示すように、ＰＤＰ表示装置は、上記ＰＤＰ１とこれを駆動するための駆動装置１００とから構成されている。
駆動装置１００には、プリプロセッサ１０１、Ｔ１設定部１０２、Ｔ１テーブル格納部１０３、フレームメモリ１０４、同期パルス生成部１０５、スキャンドライバ１０６、サスティンドライバ１０７、データドライバ１０８などが備えられている。図示はしていないが、ＰＤＰ表示装置には、上記各装置の他に各ドライバ１０６、１０７、１０８に電力を供給する電源回路も備えられている。
【００４１】
この内、プリプロセッサ１０１は、外部の映像出力器から入力されてくる表示信号からフィールド毎の表示信号（フィールド表示信号）を抽出し、抽出したフィールド表示信号から各サブフィールドの表示信号（サブフィールド表示信号）を作成し、フレームメモリ１０４に格納する。
また、プリプロセッサ１０１は、フレームメモリ１０４に格納されているカレントサブフィールド表示信号から１ラインづつデータドライバ１０８に表示信号を出力したり、入力される表示信号から水平同期信号、垂直同期信号などの同期信号を検出し、同期パルス生成部１０５にフィールド毎あるいはサブフィールド毎に同期信号を送ったりする。
【００４２】
さらに、プリプロセッサ１０１には、Ｔ１設定部１０２が接続されており、維持放電期間における維持パルス数を出力する。出力される維持パルス数は、予め設定された値であってもよいが、ここでは、この維持パルス数を、入力される表示信号に基づいて、プリプロセッサ１０１がフレーム毎に算出するものとする。維持パルス数に関する情報を受け取ったＴ１設定部１０２では、Ｔ１テーブル格納部１０３に予め格納されたＴ１テーブルを参照しながら受け取った維持パル数に応じた延長時間Ｔ1を設定し、プリプロセッサ１０１および同期パルス生成部１０５に対して出力する。延長時間Ｔ1を受け取ったプリプロセッサ１０１は、サブフィールドにおける動作タイミングを設定する。
【００４３】
ここで、延長時間Ｔ1とは、あるサブフレームの維持放電期間終了後から次のサブフレームの書き込み期間開始までの間の時間に対して、サブフィールド毎に設定される加算時間である。具体的な延長時間Ｔ1は、あるサブフレームにおいて印加する維持パルス数が２５発未満のときの維持放電期間終了から次の書き込み期間におけるパルス印加を開始するまでの間の時間を基準として、維持パルス数に応じて段階的に設定され、基準時間に加算される時間である。
【００４４】
また、Ｔ１テーブル格納部１０３に格納されているＴ１テーブルは、例えば、表１に示すようなものである。
【００４５】
【表１】
0003990598.tif 000002
【００４６】
表１に示すように、維持パルス数が１発以上２５発未満の場合を基準時間（Ｔ0）とし、これに加算される延長時間Ｔ1は、維持パルス数が２５発以上５０発未満の場合、１６０（μｓｅｃ．）に設定され、維持パルス数が５０発以上８０発未満の場合、１８０（μｓｅｃ．）に設定され、維持パルス数が８０発以上の場合、２００（μｓｅｃ．）に設定される。つまり、維持放電期間終了から次のサブフィールドの書き込み期間におけるパルス印加を開始するまでの間の時間は、維持放電期間に印加された維持パルス数が多いほど、長くなるように設定されている。
【００４７】
フレームメモリ１０４は、フィールド毎に１フィールド分のメモリ領域（８個のサブフィールド表示信号を記憶）を２個備える２ポートフレームメモリであって、一方のメモリ領域にフィールド表示信号を書き込みながら、他方のメモリ領域から書き込まれているフィールド表示信号を読み出す動作を交互に行う。
同期パルス生成部１０５は、プリプロセッサ１０１からフィールド毎あるいはサブフィールド毎に送られてくる同期信号を参照して、初期化パルス、走査パルス、維持パルス、消去パルスを立ち上がらせるタイミングを指示するトリガ信号を生成して各ドライバ１０６、１０７、１０８に対して出力する。
【００４８】
スキャンドライバ１０６は、初期化パルス発生器および書き込みパルス発生器を有しており、同期パルス生成部１０５から送られてくるトリガ信号に基づいて、初期化パルスおよび書き込みパルスを生成し、ＰＤＰ１の走査電極群ＳＣＮ１〜ＳＣＮｎに印加する。
サスティンドライバ１０７は、維持パルス発生器および消去パルス発生器を有しており、同期パルス生成部１０５から送られてくるトリガ信号に基づいて、維持パルスおよび消去パルスを生成し、維持電極群に印加する。
【００４９】
データドライバ１０８は、シリアルに入力される１ラインに相当するサブフィールド毎の情報に基づいて、データパルスをデータ電極群Ｄ１〜Ｄｍにパラレルに出力するものである。
このような構成を有するＰＤＰ表示装置では、初期化期間、書き込み期間、維持放電期間、消去期間という一連のシーケンスからサブフレームが構成される。
【００５０】
初期化期間においては、走査電極群ＳＣＮ１〜ＳＣＮｎに初期化パルスを印加して全ての放電セルの電荷状態を初期化する。
書き込み期間においては、上記走査電極群ＳＣＮ１〜ＳＣＮｎに書き込みパルスを順次印加しながらデータ電極Ｄ１〜Ｄｍの中の選択された電極にデータパルスを印加する。データパルスが印加された電極では、壁電荷が蓄積され、画像情報が書き込まれる。
【００５１】
維持放電期間においては、維持電極ＳＵＳと全ての走査電極ＳＣＮ１〜ＳＣＮｎとの間に、放電開始電圧よりも低い電圧であって、直前の放電で生じた壁電荷と同一極性の維持パルスを印加することによって、上記書き込み期間で壁電荷の蓄積が行われた放電セルで放電を起こし、所定の時間発光させる。
消去期間においては、幅の狭い消去パルスを走査電極群ＳＣＮ１〜ＳＣＮｎに一括して印加することによって、放電セルにおける壁電荷の消去を行う。ただし、駆動方法によっては、初期化期間をフィールドの先頭サブフィールドのみに設けて、残りのサブフィールドに設けない場合があるが、この場合には、初期化パルスを兼ねるような消去パルス印加する場合がある。
【００５２】
また、通常の駆動方法では、各フィールドにおける印加維持パルス数が周期的に決定されているので、上記Ｔ１設定部１０２がサブフィールド毎に一回一回延長時間Ｔ1を設定しなくても、予めサブフィールド毎に各々の延長時間Ｔ1を設定しておくようにすることができる。
即ち、ＰＤＰ表示装置では、書き込み期間においてアドレス放電することにより壁電荷が生成された放電セルが、維持放電期間において、維持パルスの印加を受けて発光する。
（第１の実施の形態）
第１の実施の形態に係るＰＤＰ表示装置の駆動方法について、図３を用いて説明する。図３は、各電極に印加されるパルス波形を示す波形図である。
【００５３】
図３に示すように、サブフィールド（以下、「ＳＦ」という）１は、初期化期間Ａ１、書き込み期間Ｂ１、維持放電期間Ｃ１、消去期間Ｄ１から構成されている。
初期化期間Ａ１では、走査電極群ＳＣＮ１〜ＳＣＮｎに対して正のパルス電圧Ｖａを印加した後、これと負のパルス電圧Ｖｂを印加することによって、放電セル内の壁電荷を初期化する。
【００５４】
なお、図３に示すように、初期化期間は、ＳＦ１にのみ設定されている。
初期化期間Ａ１の後、書き込み期間Ｂ１においては、１行目の表示を行うために、１行目の走査電極ＳＣＮ１に書き込みパルス電圧Ｖｂを印加し、放電セルに対応するデータ電極群Ｄ１〜Ｄｍと１行目の走査電極ＳＣＮ１との間の放電空間３０でアドレス放電を生じさせる。この放電により、前面パネル１０における誘電体ガラス層１３の表面に壁電荷が蓄積され、１行目のアドレス動作が行われる。
【００５５】
書き込み期間Ｂ１では、以上のような動作が、１行目からｎ行目にわたって順次行われ、ｎ行目のアドレス動作終了によって１画面分の潜像が書き込まれることになる。
次に、維持放電期間Ｃ１では、データ電極群Ｄ１〜Ｄｍを接地電位に設定しておき、走査電極群ＳＣＮ１〜ＳＣＮｎおよび維持電極群ＳＵＳ１〜ＳＵＳｎに対して、矩形波である維持パルス電圧Ｖｓを交互に印加する。これにより、維持放電期間Ｃ１では、書き込み期間Ｂ１においてアドレス動作が実施された放電セルで維持放電を生じ、発光が継続して行われる。
【００５６】
消去期間Ｄ１では、消去パルスが印加により壁電荷の消去動作が行われた後、ランプ電圧の印加により放電開始電圧未満であってパネル全体に均一な量の壁電荷の蓄積が行われる。消去期間Ｄ１の長さは、維持放電期間Ｃ１における維持パルス数が２５発未満であるので、基準時間（Ｔ0）に設定されている。基準時間Ｔ0の長さは、例えば、１４０（μｓｅｃ．）程度である。
【００５７】
次のＳＦ２が上記ＳＦ１と異なるのは、初期化期間を有していない点と、維持放電期間Ｃ２における維持パルス数と、消去期間Ｄ２の長さという３点である。先ず、維持放電期間Ｃ２では、２５発以上５０発未満の維持パルスが印加される。これによって、上記ＳＦ１と同様に、書き込み期間Ｂ２においてアドレス動作が実施された放電セルで維持放電を生じ、発光が継続して行われる。
【００５８】
次に、消去期間Ｄ２は、先立つ維持放電期間Ｃ２における維持パルス数が２５発以上５０発未満であることに応じて、期間の長さがＴ0＋１６０（μｓｅｃ．）に設定されている。これは、上述のように、プリプロセッサ１０１から送られた維持パルス数と、Ｔ１テーブル格納部１０３に予め格納されたＴ１テーブル（表１）とに基づいて、Ｔ１設定部１０２が設定した延長時間Ｔ1を加味し、プリプロセッサ１０１が設定するものである。つまり、Ｔ１設定部１０２は、表１より、維持パルス数が２５発以上５０発未満のところの延長時間Ｔ1を参照し、Ｔ1＝１６０（μｓｅｃ．）を設定する。よって、プリプロセッサ１０１が設定する消去期間Ｄ２の長さは、Ｔ0＋Ｔ1＝１４０＋１６０＝３００（μｓｅｃ．）となる。
【００５９】
このように期間の長さが決められた消去期間Ｄ２では、基本的に上記消去期間Ｄ１と同様に、壁電荷の消去動作、および放電開始電圧未満であって、パネル全体に均一な量の壁電荷の蓄積が行われる。
消去期間Ｄ２の後は、ＳＦ３の書き込み期間Ｂ３が開始される。
以上のような駆動タイミングをもって駆動されるＰＤＰ表示装置では、ＳＦ３における書き込み期間Ｂ３開始時の壁電荷が十分に維持された状態となっている。ここでいう壁電荷とは、直前の消去期間Ｄ２において蓄積された電荷をさしている。
【００６０】
従って、このような駆動方法を有するＰＤＰ表示装置では、維持放電期間Ｃ２から書き込み期間Ｂ３までの間にチャージ抜けを生じ難く、書き込み期間Ｂ３で低電圧パルスの印加によってアドレス動作を行っても、書き込み不良を生じ難い。
なお、消去期間Ｄ２の延長時間Ｔ1＝１６０（μｓｅｃ．）については、以下のように確保される。
【００６１】
一般に、フィールド内時分割階調表示方式で駆動されるＰＤＰ表示装置では、フィールド時間を１００％各期間に割り当てているのではなく、余裕時間を有している。実際には、調整時間として、フィールド内に配分されている。上記延長時間Ｔ1は、このような調整時間を用いて設定されるので、１フィールド１６．６（ｍｓｅｃ．）を変動させることはない。
【００６２】
一方、全てのサブフィールドについて一律に表１における最大の延長時間Ｔ1＝２００（μｓｅｃ．）を加算した場合には、本実施の形態と同様にチャージ抜けの発生を防止して、書き込み不良の発生を抑制することができるが、１フィールド中における消去期間の長さの合計が長くなってしまう。つまり、ＰＤＰ表示装置の駆動にあっては、このように合計時間が長くなると、１フィールドの時間を維持するために、消去期間以外の期間（例えば、維持放電期間など）の長さを減少させる必要が生じることがある。
【００６３】
これに対して、本実施の形態に係るＰＤＰ表示装置では、書き込み不良の発生を抑制するのに必用最小限の延長時間Ｔ1をサブフィールド毎に設定することにより、画像品質が優れたものとなる。
また、消去期間Ｄ２中における延長時間の配分については、上記図３に示すものに限定される必要はない。例えば、ランプ波形の勾配を緩やかなものとして、このランプ波形部分に延長時間Ｔ1を使用すれば、壁電荷を蓄積する際の誤放電の発生が抑制されるので、好ましい。
【００６４】
また、実際のＰＤＰ表示装置では、消去期間の長さを、１６０（μｓｅｃ．）以上４６０（μｓｅｃ．）以下の範囲内で設定することが好ましい。
（チャージ抜け抑制のメカニズム）
次に、消去期間Ｄ２の期間の長さを、これに先だつ維持放電期間Ｃ２における印加の維持パルス数に応じて延長した場合に、上述のようにチャージ抜けが生じ難くなるメカニズムについて、図４および図５を用いて説明する。図４は、維持放電期間および書き込み期間における壁電荷の状態を示す模式図であり、図５は、維持放電期間終了時からの経過時間に対するチャージ量の変化を示す特性図である。
【００６５】
図４（ａ）に示すように、維持放電期間後には、走査電極１２ａ（ＳＣＮ）に電圧ＶSCN＝１４０（Ｖ）のパルスが印加され、データ電極２２（Ｄ）は電圧ＶDAT＝０（Ｖ）（接地電位）に維持される。これらのパルス印加後における壁電荷の状態は、前面パネル１０側の表面に壁電荷が蓄積された状態となっている。これにより、前面パネル１０の走査電極１２ａと背面パネル２０のデータ電極２２との間には、電界Ｅｅｒｓがかかっている。ここで、電圧ＶSCNは、上記図３の消去期間Ｄ１、Ｄ２における電圧Ｖｄに対応するものである。
【００６６】
一方、図４（ｂ）に示すように、書き込み期間には、走査電極１２ａ（ＳＣＮ）に電圧ＶSCN＝−２０（Ｖ）のパルスが印加され、データ電極２２（Ｄ）に電圧ＶDAT＝７０（Ｖ）のパルスが印加される。これらのパルス印加後における壁電荷の状態は、前面パネル１０側に壁電荷が蓄積された状態となっているが、上記図４（ａ）における壁電荷よりは少ない量である。これにより、前面パネル１０の走査電極１２ａと背面パネル２０のデータ電極２２との間には、電界Ｅａｄｒがかかっている。
【００６７】
電界Ｅｅｒｓと電界Ｅａｄｒとの関係は、Ｅｅｒｓ＜Ｅａｄｒとなっている。次に、維持放電期間終了から書き込み期間におけるパルス印加を開始するまでの間の時間（図３における消去期間）と、走査電極１２ａとデータ電極２２との間に蓄積されている電荷量（チャージ量）との関係を、図５を用いて説明する。図５は、横軸に維持放電期間終了時点からの経過時間をとり、縦軸にチャージ量をとっている。
【００６８】
図５では、次の４つの場合におけるチャージ量の変化を示している。
（ａ）維持放電期間終了直後に電界Ｅａｄｒを印加した場合
（ｂ）維持放電期間終了直後に電界Ｅｅｒｓを印加した場合
（ｃ）維持放電期間終了後、時間Ｔ0経過後に書き込み期間を開始した場合
（ｄ）維持放電期間終了後、時間Ｔ0＋Ｔ1経過後に書き込み期間を開始した場合図５に示すように、チャージ量は、維持放電期間終了直後から時間の経過とともに指数関数的に減少する。その中でも、特性曲線（ａ）は、他の３つの特性曲線と比べて、経過時間に対するチャージ量の減少の度合いが非常に大きい。つまり、仮に維持放電期間終了直後から書き込み期間におけるパルス印加を開始した場合には、チャージ抜けの量が△Ｖ（ａ）となる。このように特性曲線（ａ）におけるチャージ抜けの量が多いのは、次のような理由によるものである。
【００６９】
上記図４（ａ）に示す維持放電期間終了直後には、電荷がパネルの壁部分だけでなく、放電空間３０に多く存在している。これは、放電空間３０中の不純物ガス（炭素、酸素、水素、窒素などを含む分子ガス）による不純物準位によるものである。つまり、維持放電期間終了直後には、不純物ガスと蛍光体層２５および誘電体保護膜１４などとの間で不純物準位が生成された状態となっている。そして、維持放電期間終了直後に電界Ｅａｄｒを印加した場合には、不純物準位の影響を受けて蓄積されている壁電荷が放電空間３０内に放出され、チャージ抜けが発生する。
【００７０】
特性曲線（ｂ）は、上記電界Ｅａｄｒよりも弱い電界ｅｒｓを印加した場合のチャージ量の変化を示しているが、図からも分かるように、その減少度合いが非常に小さい。
次に、特性曲線（ｃ）は、従来の駆動方法におけるチャージ量の変化を示している。つまり、特性曲線（ｃ）では、維持放電期間終了後、時間Ｔ0経過までは上記特性曲線（ｂ）に沿って推移し、この時点から書き込み期間が開始される。そして、この特性曲線（ｃ）におけるチャージ抜け量は、△Ｖ（ｃ）であり、書き込み期間終了直後のチャージ量は、Ｖ２である。チャージ抜け量△Ｖ（ｃ）は、時間Ｔ0において印加される電界Ｅｅｒｓによる減少量と、書き込み期間において印加される電界Ｅａｄｒによる減少量との合計である。
【００７１】
このような特性を有する従来のＰＤＰ表示装置にあっては、チャージ抜けにより、残存チャージ量と書き込みパルス電圧を合計した電荷量が放電開始電圧に到達しないということが生じ得る。この場合には、書き込み不良を生じてしまうことになる。
これに対して、特性曲線（ｄ）は、維持放電期間が終了して後、時間Ｔ0に加えて延長時間Ｔ1を経過してから書き込み期間におけるパルス印加が開始されるまでのチャージ量の変化を示している。
【００７２】
図５に示すように、特性曲線（ｄ）では、維持放電期間が終了して時間（Ｔ0＋Ｔ1）が経過する時点までは、チャージ量が上記特性曲線（ｂ）に沿って減少していく。そして、時間（Ｔ0＋Ｔ1）経過時点で書き込み期間が開始され、電界Ｅａｄｒが印加される。この直後のチャージ量の減少度合いは、特性曲線（ａ）や特性曲線（ｃ）などの電界Ｅａｄｒを印加した直後の場合に比べて、非常に緩やかなものとなっている。特性曲線（ｄ）における書き込み期間終了時までのチャージ量抜けは、△Ｖ（ｄ）であり、残存のチャージ量は、Ｖ１である。これは、延長時間Ｔ１を設けることによって、維持放電期間で生じた不純物準位を低減することができ、チャージ抜けの発生が抑制されるためである。
【００７３】
なお、実際のＰＤＰ表示装置では、上述の不純物ガスの量によっても、チャージ抜けの度合いが影響を受ける。書き込み期間におけるパルス印加を終了する時点での残存チャージ量は、この残留する不純物の量が多いほど減少しやすくなる傾向を有する。
しかし、上記特性曲線（ｄ）のように、時間（Ｔ0＋Ｔ1）経過後に書き込み期間を開始する場合には、放電空間３０中において不純物が残存する場合にも、相対的に効果を奏することができる。このため、維持放電期間終了から書き込み期間開始までの時間を（Ｔ0＋Ｔ1）とした場合には、パネル封着後の放電空間３０内を必要以上に高真空にしなくても、書き込み不良を低減することができるので、製造コストの面からも優位性を有する。
（第２の実施の形態）
次に、第２の実施の形態に係るＰＤＰ表示装置の駆動方法について、図６を用いて説明する。
【００７４】
第２の実施の形態に係るＰＤＰ表示装置の装置構成については、上記第１の実施の形態に係るものと同一である。
図６に示すように、本実施の形態に係る駆動方法が上記第１の実施の形態にかかる駆動方法と異なるのは、全てのサブフィールドが初期化期間、書き込み期間、維持放電期間、消去期間の４つのシーケンスを有する点である。
【００７５】
ＳＦ１における消去期間Ｄ１１では、ＳＦ２が初期化期間Ａ１２を有するので、放電空間３０内の壁電荷を消去するための矩形パルスが維持電極群ＳＵＳ１〜ＳＵＳｎに印加される。
ＳＦ２における初期化期間Ａ１２では、ＳＦ１における初期化期間Ａ１１で印加されたのと同一の初期化パルスが印加される。このとき、初期化期間Ａ１２の長さは、ＳＦ１の維持放電期間Ｃ１１で印加された維持パルス数が２５発未満であるので、ＳＦ１の初期化期間Ａ１１の長さと同一に設定される。
【００７６】
ＳＦ２における維持放電期間Ｃ１２では、データ電極群Ｄ１〜Ｄｍを接地電位に設定しておき、走査電極群ＳＣＮ１〜ＳＣＮｎおよび維持電極群ＳＵＳ１〜ＳＵＳｎに対して、交互に矩形波である維持パルス電圧Ｖｓを印加する。これにより、維持放電期間Ｃ１２では、書き込み期間Ｂ１２においてアドレス動作が実施された放電セルで維持放電を生じ、発光が継続して行われる。このとき印加される維持パルス数は、２５発以上５０発未満である。
【００７７】
ＳＦ３における初期化期間Ａ１３の長さは、ＳＦ２における初期化期間Ａ１２よりも延長時間Ｔ1分（１６０（μｓｅｃ．））だけ長く設定されている。これは、Ｔ１設定部１０２が直前の維持放電期間Ｃ１２における維持パルス数（２５発以上５０発未満）から設定したものである。つまり、本実施の形態に係る駆動方法では、延長時間Ｔ1がサブフィールド毎に設定されるとともに、設定された延長時間Ｔ1が初期化期間内に算入される。
【００７８】
このように直前の維持放電期間における維持パルス数に応じて初期化期間の長さを設定した場合にも、維持パルス数に応じて維持放電期間終了から書き込み期間におけるパルス印加を開始するまでの長さが適切に設定されたこととなり、チャージ抜けの発生を抑制することができる。この理由については、上記第１の実施の形態のように消去期間の長さを維持パルス数に応じて設定した場合と同様である。
【００７９】
なお、ここで対象となる壁電荷は、当該初期化期間Ａ１３で蓄積される電荷である。
従って、本実施の形態に係るＰＤＰ表示装置でも、低電圧で駆動する場合にも書き込み不良を生じ難く、優れた画像品質が確保される。
なお、延長時間Ｔ1には、上述のように、フィールド内における調整時間を用いられる。よって、１フィールドの時間１６．６（ｍｓｅｃ．）が変動されることはない。
【００８０】
また、実際のＰＤＰ表示装置にあっては、全てのサブフィールドにおける初期化期間の長さを３６０（μｓｅｃ．）以上６６０（μｓｅｃ．）以下の範囲内で設定することが望ましい。
（第３の実施の形態）
第３の実施の形態に係るＰＤＰ表示装置の駆動方法について、図７を用いて説明する。
【００８１】
第３の実施の形態についても、ＰＤＰ表示装置に上記第１の実施の形態、および第２の実施の形態と同一の構成を有する。
図７に示すように、本実施の形態に係る駆動方法では、全てのサブフィールド（ＳＦ１〜ＳＦｎ）で消去期間が設定されていない。これに加えて、ＳＦ２以降のサブフィールドには、初期化期間も設定されていない。
【００８２】
本実施の形態に係る駆動方法においては、直前の維持放電期間に印加された維持パルス数に応じて、書き込み期間開始時点から実際に電極にパルスが印加されるまでの間の時間が設定されている。具体的には、印加される維持パルス数が２５発以上５０発未満である維持放電期間Ｃ２２の後のＳＦ３では、書き込み期間Ｂ２３の長さがＳＦ１およびＳＦ２における書き込み期間Ｂ２１、Ｂ２２に対して、延長時間Ｔ1分だけ加算された長さとなっている。
【００８３】
図中において、書き込み期間Ｂ２３の中の待機時間Ｂ２３１は、書き込み期間Ｂ２１における待機時間Ｂ２１１や、書き込み期間Ｂ２２における待機時間Ｂ２２１よりも１６０（μｓｅｃ．）長く設定されている。
このような駆動方法のＰＤＰ表示装置は、直前の維持放電期間でのチャージ量の内、書き込み期間での残存量が書き込み期間における放電開始電圧から書き込みパルス電圧値を引いた値よりも低くなってしまうのを抑制することができる。
【００８４】
従って、このＰＤＰ表示装置では、低電圧で駆動する場合にも書き込み不良を生じ難く、優れた画像品質が確保される。
なお、実際のＰＤＰ表示装置にあっては、維持放電期間終了から書き込み期間で実際に書き込みパルス電圧が印加されるまでの間の時間を、１０（μｓｅｃ．）以上８２０（μｓｅｃ．）以下に設定することが好ましい。
【００８５】
また、延長時間Ｔ1の捻出方法については、上記第１の実施の形態および第２の実施の形態と同様である。
（その他の事項）
なお、上記実施の形態では、維持パルス数に応じてＴ１設定部１０２が設定する延長時間Ｔ1を上記表１のテーブルに基づいて行ったが、表２に示す範囲内であれば、これに限定されるものではない。
【００８６】
【表２】
0003990598.tif 000003
【００８７】
また、上記実施の形態では、先のサブフィールドの維持放電期間における維持パルス数に応じて、先のサブフィールドにおける維持放電期間終了からあとのサブフィールドの書き込み期間におけるパルス印加開始までの間の時間に延長時間Ｔ1を加算していたが、これに加えて、フィールド間においてもこの関係を適用すれば、より高い画像品質を確保することができる。この駆動方法の一例としては、あるフィールドにおけるフィールド全体での蓄積壁電荷量が少ない場合（輝度が低い）、次のフィールドにおいて、第２の延長時間Ｔ2の加算を行わず、反対に、あるフィールドにおけるフィールド全体での蓄積壁電荷量が多い場合（輝度が高い）、次のフィールドにおいて、第２の延長時間Ｔ2を加算するというような方法があげられる。ここで、第２の延長時間Ｔ2とは、サブフィールド毎に設定される延長時間Ｔ1に上乗せして加算するものである。
【００８８】
具体的には、上記Ｔ１設定部１０２とは別にＴ２設定部を設けておき、このＴ２設定部でフィールド毎に輝度を検出し、その輝度が閾値より低い場合、次のフィールドで第２の延長時間Ｔ2の加算を行わず、閾値以上の場合、一律に各サブフィールドに第２の延長時間Ｔ2をプリプロセッサ１０１に送る。そして、プリプロセッサ１０１は、延長時間Ｔ1およびＴ2を加味し、サブフィールド毎の動作タイミングの設定を行う。
【００８９】
さらに、上記実施の形態で用いたＰＤＰ表示装置は、説明のための一例であり、駆動装置を含む装置の構造、使用材料、製造方法などはこれに限定を受けるものではない。
（確認実験）
次に、上記効果を確認するために実施した実験について、図８および図９を用いて説明する。
【００９０】
本実験では、ＰＤＰの各設計寸法を以下のように設定した。
・誘電体ガラス層１３の層厚み：４２（μｍ）
・誘電体保護膜１４の膜厚み：０．５（μｍ）〜０．８（μｍ）
・操作電極１２ａと維持電極１２ｂとのギャップ：８０（μｍ）
・隔壁２４の高さ：１２０（μｍ）
・基準時間（Ｔ0）：１４０（μｓｅｃ．）
また、上記図３における印加パルスの各電圧値を以下のように設定した。
・Ｖａ＝２２０（Ｖ）
・Ｖｂ＝１００（Ｖ）
・Ｖｃ＝８０（Ｖ）
・Ｖｄ＝１４０（Ｖ）
・Ｖｅ＝１５０（Ｖ）
・Ｖｓ＝１８０（Ｖ）
本実験では、以上のような設定値を有するＰＤＰ表示装置を用いて、先のサブフィールドの維持放電期間における維持パルス数（１２，１５、…、２１５，２５５）毎に延長時間Ｔ1を変化させたときの必要な書き込みパルス電圧の値を測定した。図８は、その結果を示すグラフである。
【００９１】
図８に示すように、維持パルス数が２５発未満の場合には、延長時間Ｔ1を変化させても、必要な書き込みパルス電圧Ｖｄａｔは５７（Ｖ）以下で安定しており、ほとんど変化しなかった。
維持パルス数が２５発以上５０発未満の場合、必要な書き込みパルス電圧Ｖｄａｔの値は、延長時間Ｔ1が２０（μｓｅｃ．）よりも小さいときに、６０（Ｖ）〜６４（Ｖ）程度で安定しており、延長時間Ｔ1が２０（μｓｅｃ．）以上３００（μｓｅｃ．）以下の範囲で時間Ｔ1の増加に伴い低下している。延長時間Ｔ1が３００（μｓｅｃ．）を超えると、必要な書き込みパルス電圧Ｖｄａｔは、５５（Ｖ）〜５８（Ｖ）の範囲で安定する。
【００９２】
維持パルス数が５０発以上８０発未満の場合、必要な書き込みパルス電圧Ｖｄａｔの値は、延長時間Ｔ1が４０（μｓｅｃ．）よりも小さいときに、約８０（Ｖ）程度で安定しており、延長時間Ｔ1が４０（μｓｅｃ．）以上３２０（μｓｅｃ．）以下の範囲で時間Ｔ1の増加に伴い指数関数的に低下している。延長時間Ｔ1が３２０（μｓｅｃ．）を超えると、必要な書き込みパルス電圧Ｖｄａｔは、５８（Ｖ）〜６０（Ｖ）の範囲で安定する。
【００９３】
維持パルス数が８０発以上の場合、必要な書き込みパルス電圧Ｖｄａｔの値は、延長時間Ｔ1が６０（μｓｅｃ．）よりも小さいときに、約８０（Ｖ）程度で安定しており、延長時間Ｔ1が６０（μｓｅｃ．）以上３４０（μｓｅｃ．）以下の範囲で時間Ｔ1の増加に伴い指数関数的に低下している。延長時間Ｔ1が３４０（μｓｅｃ．）を超えると、必要な書き込みパルス電圧Ｖｄａｔは、６０（Ｖ）〜６３（Ｖ）の範囲で安定する。
【００９４】
以上の結果より、ＰＤＰ表示装置では、維持パルス数が２５発以上の場合、延長時間Ｔ1が短いほど必要な書き込みパルス電圧が高く、維持放電期間における維持パルス数が大きいほど、必要な書き込みパルス電圧Ｖｄａｔを低く抑えるのに延長時間Ｔ1を大きく設定する必要があることがわかる。
なお、図８において、減少したチャージ量は、書き込み期間における放電開始電圧の値から図中の書き込みパルス電圧Ｖｄａｔを差し引いたものである。
【００９５】
また、図中において、維持パルス数が５５発以上の場合における延長時間Ｔ1の短い領域では、書き込みパルス電圧Ｖｄａｔが８０（Ｖ）で略一定となっているが、これは、書き込みパルス電圧Ｖｄａｔの測定を８０（Ｖ）を上限として実施したためである。
次に、同じＰＤＰ表示装置を用いて、６５（Ｖ）と６７（Ｖ）の２水準の書き込みパルス電圧Ｖｄａｔにおける維持パルス数と必要な延長時間Ｔ1との関係を測定した。図９は、その結果を示すグラフである。ここでいう必要な延長時間Ｔ1とは、書き込みパルス電圧を一定に維持した状態で、書き込み期間において、書き込み不良を起こさないために必要最小限の延長時間である。また、図中における維持パルス数は、先のサブフィールドの維持放電期間に印加されたものを指している。
【００９６】
図９に示すように、維持放電期間に印加された維持パルス数が２５発未満の場合、必要な延長時間Ｔ1は、０（μｓｅｃ．）である。つまり、維持パルス数が２５発未満の場合には、延長時間Ｔ1を加算しなくても書き込み期間における書き込み不良が発生しない。
維持パルスが２５発以上１３０発未満の範囲内にあるとき、延長時間Ｔ1は、維持パルス数の増加に伴って長くなっていく。このような傾向は、書き込みパルス電圧Ｖｄａｔ＝６５（Ｖ）の場合、および書き込みパルス電圧Ｖｄａｔ＝６７（Ｖ）の場合の両方において同じである。
【００９７】
従って、上記図８および図９に示す両特性図より、延長時間Ｔ1は、維持放電期間において印加される維持パルス数に応じて設定されることが望ましい。具体的には、次に示すように設定する。
維持放電期間において印加される維持パルス数が２５発未満の場合には、延長時間Ｔ1＝０とする。つまり、このような場合には、時間の延長を行わなわず、維持放電期間終了から書き込みパルス印加開始までの時間を基準時間Ｔ0（１４０μｓｅｃ．）に設定する。
【００９８】
維持放電期間において印加される維持パルス数が２５発以上５０発未満の場合には、延長時間Ｔ1を２０（μｓｅｃ．）以上３００（μｓｅｃ．）以下の範囲で設定する。
維持放電期間において印加される維持パルス数が５０発以上８０発未満の場合には、延長時間Ｔ1を４０（μｓｅｃ．）以上３２０（μｓｅｃ．）以下の範囲で設定する。
【００９９】
維持放電期間において印加される維持パルス数が８０発以上の場合には、延長時間Ｔ1を６０（μｓｅｃ．）以上３４０（μｓｅｃ．）以下の範囲で設定する。
これらの各延長時間Ｔ1については、上述のように、予めテーブル化されて上記図２におけるＴ１テーブル格納部１０３に格納されている。
【０１００】
なお、本確認実験の結果は、上記各設計寸法および各印加電圧値をもって得られたものであるが、維持放電期間終了から書き込み期間におけるパルス印加までの時間を、サブフィールド毎あるいはフィールド毎に、維持パルス数に応じて設定すれば、その間におけるチャージ抜けの発生が抑制されるという効果については、上記設定値以外のＰＤＰ表示装置でも得られる。
【０１０１】
【発明の効果】
以上で説明してきたように、本発明のＰＤＰ表示装置では、ｍ番目の各サブフィールドの維持放電期間における印加維持パルス数に応じて、ｍ番目のサブフィールドにおける維持放電期間終了から（ｍ＋１）番目のサブフィールドの書き込みパルス印加開始までの第１の時間が、ｎ番目のサブフィールドと（ｎ＋１）番目のサブフィールドとの間における対応する第２の時間と異なる長さの関係を有するようなｍおよびｎが存在し、先のサブフィールドにおける印加維持パルス数が所要値未満であるときの先のサブフィールドにおける維持放電期間終了からそれに続くサブフィールドにおける書き込み期間の書き込みパルス印加開始までの時間を基準時間とするとき、ｍ番目のサブフィールドにおける印加維持パルス数が所要値以上である場合に、第１の時間を、ｍ番目のサブフィールドにおける印加維持パルス数に基づいて設定された延長時間を上記基準時間に加算することにより設定するので、不純物準位の存在によるチャージ抜けの発生を効果的に抑制するのに適した時間を設定することができる。
【０１０２】
従って、本発明のＰＤＰ表示装置では、消費電力が低いとともに、書き込み期間における書き込み不良が発生し難く、高い画像品質が確保される。また、ＰＤＰ表示装置の駆動方法では、ｍ番目の各サブフィールドの維持放電期間における印加維持パルス数に応じて、ｍ番目のサブフィールドにおける維持放電期間終了から（ｍ＋１）番目のサブフィールドの書き込みパルス印加開始までの第１の時間が、ｎ番目のサブフィールドと（ｎ＋１）番目のサブフィールドとの間における対応する第２の時間と異なる長さの関係を有するようなｍおよびｎが存在し、先のサブフィールドにおける印加維持パルス数が所要値未満であるときの先のサブフィールドにおける維持放電期間終了からそれに続くサブフィールドにおける書き込み期間の書き込みパルス印加開始までの時間を基準時間とするとき、ｍ番目のサブフィールドにおける印加維持パルス数が所要値以上である場合に、第１の時間を、ｍ番目のサブフィールドにおける印加維持パルス数に基づいて設定された延長時間を上記基準時間に加算するので、不純物準位の存在によるチャージ抜けの発生を効果的に抑制するのに適した時間を設定することができる。
【０１０３】
従って、このＰＤＰ表示装置の駆動方法では、消費電力が低いとともに、書き込み期間における書き込み不良が発生し難く、高い画像品質が確保される。
【図面の簡単な説明】
【図１】発明の実施の形態に係るＡＣ型ＰＤＰ表示装置におけるパネルの要部斜視図（一部断面図）である。
【図２】発明の実施の形態に係るＡＣ型ＰＤＰ表示装置の全体構成を示すブロック図である。
【図３】第１の実施の形態に係る駆動方法を示す印加パルスの波形図である。
【図４】維持放電期間および書き込み期間におけるチャージ量を示す模式図である。
【図５】維持放電期間終了からの経過時間とチャージ量との関係を示す特性図である。
【図６】第２の実施の形態に係る駆動方法を示す印加パルスの波形図である。
【図７】第３の実施の形態に係る駆動方法を示す印加パルスの波形図である。
【図８】延長時間Ｔ1とアドレス電圧との関係を示す特性図である。
【図９】直前の維持放電期間における維持パルス数と延長時間Ｔ1との関係を示す特性図である。
【符号の説明】
１．プラズマディスプレイパネル
１０．  前面パネル
１２ａ．走査電極
１２ｂ．維持電極
１４．  誘電体保護膜
２０．  背面パネル
２２．  データ電極
２５．  蛍光体層
３０．  放電空間
１０２．Ｔ１設定部
１０３．Ｔ１テーブル格納部
【図１】
0003990598.tif 000004
【図２】
0003990598.tif 000005
【図３】
0003990598.tif 000006
【図４】
0003990598.tif 000007
【図５】
0003990598.tif 000008
【図６】
0003990598.tif 000009
【図７】
0003990598.tif 000010
【図８】
0003990598.tif 000011
【図９】
0003990598.tif 000012